(57)【要約】【課題】視聴制限レベルの情報が付加されていないテレビジョン信号に基づく番組でも好適に視聴制限ができるテレビジョン受像機を提供することである。【解決手段】抽出手段（ＣＰＵ１２、抽出プログラム１４ｃ）によって、受信したテレビジョン信号からＣＣデータを抽出し、判別手段（ＣＰＵ１２、判別プログラム１４ｅ）によって、対象言語記憶手段（対象言語データテーブル１４ａ）に記憶されている対象言語データが、抽出手段によって抽出されたＣＣデータに含まれているか否かを判別し、判別手段によって、抽出手段により抽出されたＣＣデータに、対象言語データが含まれていると判別された場合、視聴制限手段（ＣＰＵ１２、視聴制限プログラム１４ｆ）によって、当該ＣＣデータに対応するテレビジョン信号に基づく番組の視聴制限を行う。【選択図】図１
2008103938.tif 000002
【特許請求の範囲】
【請求項１】
視聴制限の対象となる対象言語データを、制限の対象となるユーザ毎に記憶する対象言語記憶手段と、
前記制限の対象となるユーザを設定する対象ユーザ設定手段と、
受信したテレビジョン信号に基づく映像音声データを一時的に保持する保持手段と、
前記保持手段に保持された映像音声データを、所定期間経過後に出力することにより、当該映像音声データの放送タイミングを遅延させる遅延手段と、
前記受信したテレビジョン信号からＣＣ（Closed  Caption）データを抽出する抽出手段と、
前記受信したテレビジョン信号に基づく映像音声データのうち音声データの音声認識を行う音声認識手段と、
前記対象ユーザ設定手段により設定された対象ユーザに対応付けられて前記対象言語記憶手段に記憶された対象言語データが、前記抽出手段によって抽出されたＣＣデータ、及び／又は前記音声認識手段によって認識された音声認識データに含まれているか否かを判別する判別手段と、
前記判別手段によって、前記対象ユーザ設定手段により設定された対象ユーザに対応付けられて前記対象言語記憶手段に記憶されている対象言語データが、前記抽出手段によって抽出されたＣＣデータ、及び／又は前記音声認識手段によって認識された音声認識データに含まれていると判別された場合、当該対象言語データに対応するＣＣデータ及び／又は音声データをカットする視聴制限手段と、
を備えることを特徴とするテレビジョン受像機。
【請求項２】
視聴制限の対象となる言語データを記憶する対象言語記憶手段と、
受信したテレビジョン信号からＣＣ（Closed  Caption）データを抽出するＣＣデータ抽出手段と、
前記対象言語記憶手段に記憶されている対象言語データが、前記ＣＣデータ抽出手段によって抽出されたＣＣデータに含まれているか否かを判別する判別手段と、
前記判別手段によって、前記抽出手段により抽出されたＣＣデータに、前記対象言語データが含まれていると判別された場合、当該ＣＣデータに対応するテレビジョン信号に基づく番組の視聴制限を行う視聴制限手段と、
を備えることを特徴とするテレビジョン受像機。
【請求項３】
前記対象言語記憶手段は、視聴制限の対象となる対象言語データを、制限の対象となるユーザ毎に記憶するとともに、当該制限の対象となるユーザを設定する対象ユーザ設定手段を備え、
前記判別手段は、前記対象ユーザ設定手段により設定された対象ユーザに対応付けられて前記対象言語記憶手段に記憶された対象言語データが、前記抽出手段によって抽出されたＣＣデータに含まれているか否かを判別することを特徴とする請求項２に記載のテレビジョン受像機。
【請求項４】
受信したテレビジョン信号に基づく映像音声データのうち音声データの音声認識を行う音声認識手段を備え、
前記判別手段は、前記対象言語記憶手段に記憶されている対象言語データが、前記音声認識手段によって認識された音声認識データに含まれているか否かについても判別することを特徴とする請求項２又は３に記載のテレビジョン受像機。
【請求項５】
受信したテレビジョン信号に基づく映像音声データを一時的に保持する保持手段と、
前記保持手段に保持された映像音声データを、所定期間経過後に出力することにより、当該映像音声データの放送タイミングを遅延させる遅延手段を備え、
前記視聴制限手段は、前記判別手段によって、前記対象ユーザ設定手段により設定された対象ユーザに対応付けられて前記対象言語記憶手段に記憶されている対象言語データが、前記抽出手段によって抽出されたＣＣデータ、及び／又は前記音声認識手段によって認識された音声認識データに含まれていると判別された場合、当該対象言語データに対応するＣＣデータ及び／又は音声データをカットすることを特徴とする請求項４に記載のテレビジョン受像機。
【発明の詳細な説明】
【技術分野】
【０００１】
本発明は、テレビジョン受像機に関する。
【背景技術】
【０００２】
従来、暴力的な表現のある番組や猥褻的な表現のある番組を子供が見ないようにするため、放送局側により当該番組の放送信号に視聴制限レベルの情報（レイティング情報）を付加し、当該レイティング情報に基づいて、番組の視聴を制限するテレビジョン放送受信装置が知られている。
【０００３】
一方、生放送のテレビ番組においては、放送局からテレビジョン信号を送信する際、視聴制限レベルの情報を付加することなく送信を行うため、テレビジョン受像機側では、放送内容が視聴禁止に該当する場合であっても何ら方策をとることができない。そこで、生放送のテレビ番組であっても、生放送されるテレビジョン信号を所定時間保持することにより、当該テレビジョン信号の放送タイミングを遅延させ、この所定時間保持されたテレビジョン信号に対して、生放送のテレビ番組の内容に応じて視聴許容ランク付けされた番組内容識別データを付加することによって、Ｖ−Ｃｈｉｐ機能により視聴許容ランクに基づく視聴許可・視聴禁止の制御を可能とするテレビジョン受像機が知られている（特許文献１参照）。
【特許文献１】特開２０００−２１７０９２号公報
【発明の開示】
【発明が解決しようとする課題】
【０００４】
しかしながら、上記従来技術の場合、Ｖ−Ｃｈｉｐ機能により視聴許容ランクに基づく視聴許可・視聴禁止の制御を行うために、当該視聴許容のランク付けを、担当者がモニターに映し出された放送内容をチェックし、ランク情報を重畳させる必要がある場合にランク情報操作パネルから所望のランクを入力することによって行っていた。
【０００５】
本発明の課題は、視聴制限レベルの情報が付加されていないテレビジョン信号に基づく番組でも好適に視聴制限ができるテレビジョン受像機を提供することである。
【課題を解決するための手段】
【０００６】
以上の課題を解決するため、請求項１に記載の発明は、
視聴制限の対象となる対象言語データを、制限の対象となるユーザ毎に記憶する対象言語記憶手段と、
前記制限の対象となるユーザを設定する対象ユーザ設定手段と、
受信したテレビジョン信号に基づく映像音声データを一時的に保持する保持手段と、
前記保持手段に保持された映像音声データを、所定期間経過後に出力することにより、当該映像音声データの放送タイミングを遅延させる遅延手段と、
前記受信したテレビジョン信号からＣＣ（Closed  Caption）データを抽出する抽出手段と、
前記受信したテレビジョン信号に基づく映像音声データのうち音声データの音声認識を行う音声認識手段と、
前記対象ユーザ設定手段により設定された対象ユーザに対応付けられて前記対象言語記憶手段に記憶された対象言語データが、前記抽出手段によって抽出されたＣＣデータ、及び／又は前記音声認識手段によって認識された音声認識データに含まれているか否かを判別する判別手段と、
前記判別手段によって、前記対象ユーザ設定手段により設定された対象ユーザに対応付けられて前記対象言語記憶手段に記憶されている対象言語データが、前記抽出手段によって抽出されたＣＣデータ、及び／又は前記音声認識手段によって認識された音声認識データに含まれていると判別された場合、当該対象言語データに対応するＣＣデータ及び／又は音声データをカットする視聴制限手段と、
を備えることを特徴とする。
【０００７】
請求項２に記載の発明は、
視聴制限の対象となる言語データを記憶する対象言語記憶手段と、
受信したテレビジョン信号からＣＣ（Closed  Caption）データを抽出するＣＣデータ抽出手段と、
前記対象言語記憶手段に記憶されている対象言語データが、前記ＣＣデータ抽出手段によって抽出されたＣＣデータに含まれているか否かを判別する判別手段と、
前記判別手段によって、前記抽出手段により抽出されたＣＣデータに、前記対象言語データが含まれていると判別された場合、当該ＣＣデータに対応するテレビジョン信号に基づく番組の視聴制限を行う視聴制限手段と、
を備えることを特徴とする。
【０００８】
請求項３に記載の発明は、請求項２に記載のテレビジョン受像機において、
前記対象言語記憶手段は、視聴制限の対象となる対象言語データを、制限の対象となるユーザ毎に記憶するとともに、当該制限の対象となるユーザを設定する対象ユーザ設定手段を備え、
前記判別手段は、前記対象ユーザ設定手段により設定された対象ユーザに対応付けられて前記対象言語記憶手段に記憶された対象言語データが、前記抽出手段によって抽出されたＣＣデータに含まれているか否かを判別することを特徴とする。
【０００９】
請求項４に記載の発明は、請求項２又は３に記載のテレビジョン受像機において、
受信したテレビジョン信号に基づく映像音声データのうち音声データの音声認識を行う音声認識手段を備え、
前記判別手段は、前記対象言語記憶手段に記憶されている対象言語データが、前記音声認識手段によって認識された音声認識データに含まれているか否かについても判別することを特徴とする。
【００１０】
請求項５に記載の発明は、請求項４に記載のテレビジョン受像機において、
受信したテレビジョン信号に基づく映像音声データを一時的に保持する保持手段と、
前記保持手段に保持された映像音声データを、所定期間経過後に出力することにより、当該映像音声データの放送タイミングを遅延させる遅延手段を備え、
前記視聴制限手段は、前記判別手段によって、前記対象ユーザ設定手段により設定された対象ユーザに対応付けられて前記対象言語記憶手段に記憶されている対象言語データが、前記抽出手段によって抽出されたＣＣデータ、及び／又は前記音声認識手段によって認識された音声認識データに含まれていると判別された場合、当該対象言語データに対応するＣＣデータ及び／又は音声データをカットすることを特徴とする。
【発明の効果】
【００１１】
請求項１に記載の発明によれば、対象言語記憶手段によって、視聴制限の対象となる対象言語データを、制限の対象となるユーザ毎に記憶することができ、対象ユーザ設定手段によって、制限の対象となるユーザを設定することができ、保持手段によって、受信したテレビジョン信号に基づく映像音声データを一時的に保持することができ、遅延手段によって、保持手段に保持された映像音声データを、所定期間経過後に出力することにより、当該映像音声データの放送タイミングを遅延させることができ、抽出手段によって、受信したテレビジョン信号からＣＣデータを抽出することができ、音声認識手段によって、受信したテレビジョン信号に基づく映像音声データのうち音声データの音声認識を行うことができ、判別手段によって、対象ユーザ設定手段により設定された対象ユーザに対応付けられて対象言語記憶手段に記憶された対象言語データが、抽出手段によって抽出されたＣＣデータ、及び／又は音声認識手段によって認識された音声認識データに含まれているか否かを判別することができ、判別手段によって、対象ユーザ設定手段により設定された対象ユーザに対応付けられて対象言語記憶手段に記憶されている対象言語データが、抽出手段によって抽出されたＣＣデータ、及び／又は音声認識手段によって認識された音声認識データに含まれていると判別された場合、視聴制限手段によって、当該対象言語データに対応するＣＣデータ及び／又は音声データをカットすることができる。
従って、視聴制限レベルの情報が付加されていないテレビジョン信号に基づく番組でも、当該番組のＣＣデータを解析することによって、好適に視聴制限を行うことができる。
また、対象言語記憶手段は、視聴制限の対象となる対象言語データを、制限の対象となるユーザ毎に記憶することができ、対象となるユーザに応じて、受信中の番組を制限するか否かを判別することができることとなり、より好適に視聴制限を行うことができる。
また、ＣＣデータが付加されていないテレビジョン信号に基づく番組でも、当該番組の音声データを解析することによって、好適に視聴制限を行うことができる。
また、映像音声データを一時的に保持し、当該映像音声データを遅延させて出力することにより、受信した番組自体の視聴を制限することなく、当該番組のうち制限したい箇所におけるＣＣデータ、音声データのみをカットすることができることとなり、さらに好適な視聴制限を行うことができる。
【００１２】
請求項２に記載の発明によれば、対象言語記憶手段によって、視聴制限の対象となる言語データを記憶することができ、抽出手段によって、受信したテレビジョン信号からＣＣデータを抽出することができ、判別手段によって、対象言語記憶手段に記憶されている対象言語データが、抽出手段によって抽出されたＣＣデータに含まれているか否かを判別することができ、判別手段によって、抽出手段により抽出されたＣＣデータに、対象言語データが含まれていると判別された場合、視聴制限手段によって、当該ＣＣデータに対応するテレビジョン信号に基づく番組の視聴制限を行うことができる。
従って、視聴制限レベルの情報が付加されていないテレビジョン信号に基づく番組でも、当該番組のＣＣデータを解析することによって、好適に視聴制限を行うことができる。
【００１３】
請求項３に記載の発明によれば、請求項２に記載の発明と同様の効果が得られることは無論のこと、対象言語記憶手段によって、視聴制限の対象となる対象言語データを、制限の対象となるユーザ毎に記憶することができ、対象ユーザ設定手段によって、当該制限の対象となるユーザを設定することができ、判別手段によって、対象ユーザ設定手段により設定された対象ユーザに対応付けられて対象言語記憶手段に記憶された対象言語データが、抽出手段によって抽出されたＣＣデータに含まれているか否かを判別することができる。
従って、対象となるユーザに応じて、受信中の番組を制限するか否かを判別することができることとなり、より好適に視聴制限を行うことができる。
【００１４】
請求項４に記載の発明によれば、請求項２又は３に記載の発明と同様の効果が得られることは無論のこと、音声認識手段によって、受信したテレビジョン信号に基づく映像音声データのうち音声データの音声認識を行うことができ、判別手段によって、対象言語記憶手段に記憶されている対象言語データが、音声認識手段によって認識された音声認識データに含まれているか否かについても判別することができる。
従って、ＣＣデータが付加されていないテレビジョン信号に基づく番組でも、当該番組の音声データを解析することによって、好適に視聴制限を行うことができる。
【００１５】
請求項５に記載の発明によれば、請求項４に記載の発明と同様の効果が得られることは無論のこと、保持手段によって、受信したテレビジョン信号に基づく映像音声データを一時的に保持することができ、遅延手段によって、保持手段に保持された映像音声データを、所定期間経過後に出力することにより、当該映像音声データの放送タイミングを遅延させることができ、判別手段によって、対象ユーザ設定手段により設定された対象ユーザに対応付けられて対象言語記憶手段に記憶されている対象言語データが、抽出手段によって抽出されたＣＣデータ、及び／又は音声認識手段によって認識された音声認識データに含まれていると判別された場合、視聴制限手段によって、当該対象言語データに対応するＣＣデータ及び／又は音声データをカットすることができる。
従って、映像音声データを一時的に保持し、当該映像音声データを遅延させて出力することにより、受信した番組自体の視聴を制限することなく、当該番組のうち制限したい箇所におけるＣＣデータ、音声データのみをカットすることができることとなり、さらに好適な視聴制限を行うことができる。
【発明を実施するための最良の形態】
【００１６】
以下、図を参照して、本発明に係るテレビジョン受像機を実施するための最良の形態を詳細に説明する。
【００１７】
まず、本発明に係るテレビジョン受像機１００の構成について図１を参照しながら説明する。本実施形態に係るテレビジョン受像機１００は、例えば、図１に示すように、アンテナ１、チューナ２、復調部３、分離部４、デコーダ５、バッファ６、ＯＳＤ処理部７、映像出力部８、音声出力部９、操作部１０、制御部１１等を備えて構成されている。
【００１８】
アンテナ１は、例えば、パラボラアンテナやＵＨＦアンテナ等であり、テレビジョン信号を受信し、ＲＦ（Radio  Frequency）信号をチューナ２に出力する。なお、デジタルテレビジョン信号に含まれる物理チャンネルの放送データは、ＭＰＥＧ２−ＴＳ方式により多重化されている。
【００１９】
チューナ２は、例えば、ミキサ（図示省略），選局回路（図示省略）等を備えて構成される。そして、チューナ２において、ミキサ，選局回路等により、アンテナ１から入力されたＲＦ信号からユーザが所望する物理チャンネルのＩＦ（Intermediate  Frequency）信号が生成される。
【００２０】
復調部３は、逆インタリーブ回路（図示省略），誤り訂正回路（図示省略），復調回路（図示省略）等を備えて構成される。そして、復調部３において、逆インタリーブ回路，誤り訂正回路，復調回路等により、生成されたＩＦ信号に誤り訂正処理や復調処理等が施され、放送データとしてのＴＳ（Transport  Stream）信号に変換される。復調部３により生成されたＴＳ信号は、分離部４に出力される。
【００２１】
分離部４は、例えば、復調部３，デコーダ５等と接続され、復調部３から入力されるＴＳ信号を映像データ，音声データ，ＰＳＩ／ＳＩ（Program Specific Information/Service Information）等に分離し、デコーダ５に出力する。
【００２２】
デコーダ５は、分離部４から入力される映像データや音声データに復号処理を行い、バッファ６を介して、映像出力部８、音声出力部９に出力する。
【００２３】
バッファ６は、例えば、保持手段として、デコーダ５によりデコードされた映像音声データを逐次記憶する。
また、操作部１０の所定の操作により、ユーザ所望のチャンネルの映像音声データを遅延させて出力させる設定がなされている場合、当該映像音声データを所定時間、バッファ６に保持する。
【００２４】
ＯＳＤ処理部７は、制御部１１から入力される制御信号に従って、ＯＳＤ（On Screen Display ）信号をデコーダ５から映像出力部８へ出力される映像データに合成する。
【００２５】
映像出力部８は、例えば、ＬＣＤ（Liquid  Crystal  Display）やＰＤＰ（Plasma  Display  Panel）等を備えて構成され、デコーダ５から出力される映像データに基づく映像を表示する。
【００２６】
音声出力部９は、例えば、スピーカ等を備えて構成され、デコーダ５から出力される音声データに基づく音声を出力する。
【００２７】
操作部１０は、例えば、テレビジョン受像機１００の外面に備えられた操作ボタン（図示省略）や、テレビジョン受像機１００用のリモートコントローラ（図示省略）及び当該リモートコントローラと通信可能なリモコン受信部（図示省略）などから構成されており、例えば、ユーザによって操作されて、当該操作に伴う各種信号を制御部１１に出力する。
具体的には、操作部１０は、例えば、対象ユーザ設定手段（後述）として、視聴制限の対象となる対象言語が制限の対象となるユーザ毎に記憶されている対象言語データテーブル１４ａ（後述）から、視聴制限の対象となるユーザを設定する際に操作される。
また、例えば、ユーザ所望のチャンネルの映像音声データを遅延させて出力させる場合に、操作部１０の所定の操作により設定を行う。
【００２８】
制御部１１は、例えば、図１に示すように、ＣＰＵ（Central  Processing  Unit）１
２、ＲＡＭ（Random  Access  Memory）１３、記憶部１４等を備えて構成される。
【００２９】
ＣＰＵ１２は、例えば、記憶部１４に格納された処理プログラム等を読み出して、ＲＡＭ１３に展開して実行することにより、テレビジョン受像機１００全体の制御を行う。
【００３０】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３１】
記憶部１４は、例えば、プログラムやデータ等が予め記憶されている記録媒体を有しており、この記録媒体は、例えば、半導体メモリ等で構成されている。また、記憶部１４は、ＣＰＵ１２がテレビジョン受像機１００全体を制御する機能を実現させるための各種データ，各種処理プログラム，これらプログラムの実行により処理されたデータ等を記憶する。より具体的には、記憶部１４は、例えば、図１に示すように、対象言語データテーブル１４ａ、遅延プログラム１４ｂ、抽出プログラム１４ｃ、音声認識プログラム１４ｄ、判別プログラム１４ｅ，視聴制限プログラム１４ｆ等を格納している。
【００３２】
対象言語データテーブル１４ａは、視聴制限の対象となる対象言語データ、例えば、暴言、卑猥な言葉等が記憶されている。
具体的には、対象言語データテーブル１４ａは、例えば、視聴制限の対象となるユーザ「Ｃｈｉｌｄ（７歳以下）」には、対象言語データとして、暴言や卑猥な言葉等を対応付けて記憶し、また「Ｙｏｕｔｈ（１４歳以下）」には、対象言語データとして、卑猥な言葉等を対応付けて、対象ユーザ毎に対象言語データを記憶する。
これにより、対象言語データテーブル１４ａは、対象言語記憶手段として機能する。
【００３３】
遅延プログラム１４ｂは、映像音声データの放送タイミングを遅延させる機能を実現させるプログラムである。
具体的には、ＣＰＵ１２は、遅延プログラム１４ｂを実行することによって、一時的にバッファ６に保持された映像音声データを、所定期間経過後に出力することにより、当該映像音声データの放送タイミングを遅延させる。
ＣＰＵ１２は、かかる遅延プログラム１４ｂを実行することにより、遅延手段として機能する。
【００３４】
抽出プログラム１４ｃは、ＣＰＵ１２に、受信したテレビジョン信号からＣＣ（Closed Caption）データを抽出する機能を実現させるプログラムである。
具体的には、ＣＰＵ１２は、抽出プログラム１４ｃを実行することによって、デコーダ５によりデコードされたＣＣデータの抽出を行う。
ＣＰＵ１２は、かかる抽出プログラム１４ｃを実行することにより、抽出手段として機能する。
【００３５】
音声認識プログラム１４ｄは、ＣＰＵ１２に、取得した音声データの音声認識を行う機能を実現させるプログラムである。
具体的には、ＣＰＵ１２は、音声認識プログラム１４ｄを実行することによって、デコーダ５によりデコードされた音声データに基づき音声認識を行う。
ＣＰＵ１２は、かかる音声認識プログラム１４ｄを実行することにより、音声認識手段として機能する。
【００３６】
判別プログラム１４ｅは、ＣＰＵ１２に、抽出されたＣＣデータに視聴制限の対象となる対象言語データが含まれているか否かを判別する機能を実現させるプログラムである。
具体的には、ＣＰＵ１２は、判別プログラム１４ｅを実行することによって、操作部１０により設定された対象ユーザに対応付けられて対象言語データテーブル１４ａに記憶された対象言語データが、抽出プログラム１４ｃを実行することによって抽出されたＣＣデータ、及び／又は音声認識プログラム１４ｄを実行することによって認識された音声認識データに含まれているか否かを判別する。
ＣＰＵ１２は、かかる判別プログラム１４ｅを実行することにより、判別手段として機能する。
【００３７】
視聴制限プログラム１４ｆは、ＣＰＵ１２に、番組の視聴制限を行う機能を実現させるプログラムである。
具体的には、例えば、ユーザ所望のチャンネルの映像音声データを遅延させて出力する設定がなされている場合において、判別プログラム１４ｅの実行によって、操作部１０により設定された対象ユーザに対応付けられて対象言語データテーブル１４ａに記憶されている対象言語データが、抽出プログラム１４ｃの実行によって抽出されたＣＣデータ、及び／又は音声認識プログラム１４ｄの実行によって認識された音声認識データに含まれていると判別された場合、ＣＰＵ１２は、視聴制限プログラム１４ｆを実行することによって、当該対象言語データに対応するＣＣデータ及び／又は音声データをカットする。一方、ユーザ所望のチャンネルの映像音声データを遅延させて出力する設定がなされていない場合においては、判別プログラム１４ｅの実行によって、操作部１０により設定された対象ユーザに対応付けられて対象言語データテーブル１４ａに記憶されている対象言語データが、抽出プログラム１４ｃの実行によって抽出されたＣＣデータ、及び／又は音声認識プログラム１４ｄの実行によって認識された音声認識データに含まれていると判別された時点で、デコーダ５によりユーザが所望するチャンネルの映像音声データが出力されることを制限する。
ＣＰＵ１２は、かかる視聴制限プログラム１４ｆを実行することにより、視聴制限手段として機能する。
【００３８】
次に、上述のような構成のテレビジョン受像機１００の視聴制限動作について図２に示すフローチャートを参照しながら説明する。
まず、テレビジョン信号がアンテナ１により受信され、当該テレビジョン信号からチューナ２によりユーザが所望するチャンネルのデジタルデータが生成され、復調部３、分離部４を介して、デコーダ５によりユーザが所望するチャンネルの映像音声データが生成される（ステップＳ１）。
【００３９】
次いで、ステップＳ２において、ユーザ所望のチャンネルの映像音声データを遅延させて出力する設定がなされている場合（ステップＳ２；Ｙｅｓ）、ステップＳ３へ進み、ＣＰＵ１２は、遅延プログラム１４ｂを実行することにより、当該映像音声データを所定時間、バッファ６に保持する。
【００４０】
次いで、ステップＳ４において、ＣＰＵ１２は、抽出プログラム１４ｃを実行することにより、バッファ６に一時的に保持されたＣＣデータを抽出する。また、ＣＰＵ１２は、音声認識プログラム１４ｄを実行することにより、バッファ６に一時的に保持された音声データを取得し、当該音声データの音声認識を行う。
【００４１】
次いで、ステップＳ５において、ＣＰＵ１２は、判別プログラム１４ｅを実行することにより、操作部１０により設定された対象ユーザに対応付けられて対象言語データテーブル１４ａに記憶された対象言語データが、抽出プログラム１４ｃの実行によって抽出されたＣＣデータ、及び／又は音声認識プログラム１４ｄの実行によって認識された音声認識データに含まれているか否かを判別し、当該対象言語データが、抽出プログラム１４ｃの実行によって抽出されたＣＣデータ、及び／又は音声認識プログラム１４ｄの実行によって認識された音声認識データに含まれていると判別された場合（ステップＳ５；Ｙｅｓ）、ステップＳ６へ進む。一方、ステップＳ５において、当該対象言語データが、抽出プログラム１４ｃの実行によって抽出されたＣＣデータ、及び音声認識プログラム１４ｄの実行によって認識された音声認識データのいずれにも含まれていないと判別された場合（ステップＳ５；Ｎｏ）、ステップＳ６をスキップして、ステップＳ７へ進む。
【００４２】
次いで、ステップＳ６において、ＣＰＵ１２は、視聴制限プログラム１４ｆを実行することによって、抽出プログラム１４ｃの実行によって抽出されたＣＣデータ、及び／又は音声認識プログラム１４ｄの実行によって認識された音声認識データに含まれていると判別された対象言語データに対応するＣＣデータ、及び／又は音声データをカットする。
【００４３】
次いで、ステップＳ７において、ＣＰＵ１２は、現在、受信を行っている番組の放送が終了したか否かをＥＰＧデータに基づき判断し、当該番組の放送が終了したと判断された場合（ステップＳ７；Ｙｅｓ）、本処理を終了する。一方、ステップＳ７において、ＣＰＵ１２が、ＥＰＧデータに基づき、現在、受信を行っている番組の放送が終了していないと判断した場合（ステップＳ７；Ｎｏ）、ステップＳ３へ戻り、当該番組の放送が終了するまで、ステップＳ３以降の動作を繰り返す。
【００４４】
一方、ステップＳ２において、ユーザ所望のチャンネルの映像音声データを遅延させて出力する設定がなされていない場合（ステップＳ２；Ｎｏ）、ＣＰＵ１２は、当該映像音声データを遅延させることなく出力する。
【００４５】
次いで、ステップＳ８において、ＣＰＵ１２は、抽出プログラム１４ｃを実行することにより、デコーダ５から出力されたＣＣデータを抽出する。また、ＣＰＵ１２は、音声認識プログラム１４ｄを実行することにより、デコーダ５から出力された音声データを取得し、当該音声データの音声認識を行う。
【００４６】
次いで、ステップＳ９において、ＣＰＵ１２は、判別プログラム１４ｅを実行することにより、操作部１０により設定された対象ユーザに対応付けられて対象言語データテーブル１４ａに記憶された対象言語データが、抽出プログラム１４ｃの実行によって抽出されたＣＣデータ、及び／又は音声認識プログラム１４ｄの実行によって認識された音声認識データに含まれているか否かを判別し、当該対象言語データが、抽出プログラム１４ｃの実行によって抽出されたＣＣデータ、及び／又は音声認識プログラム１４ｄの実行によって認識された音声認識データに含まれていると判別された場合（ステップＳ９；Ｙｅｓ）、ステップＳ１０へ進む。
【００４７】
次いで、ステップＳ１０において、ＣＰＵ１２は、視聴制限プログラム１４ｆを実行することによって、デコーダ５によりユーザが所望するチャンネルの映像音声データが出力されることを制限する。
【００４８】
一方、ステップＳ９において、ＣＰＵ１２は、判別プログラム１４ｅを実行することにより、操作部１０により設定された対象ユーザに対応付けられて対象言語データテーブル１４ａに記憶された対象言語データが、抽出プログラム１４ｃの実行によって抽出されたＣＣデータ、及び／又は音声認識プログラム１４ｄの実行によって認識された音声認識データに含まれているか否かを判別し、当該対象言語データが、抽出プログラム１４ｃの実行によって抽出されたＣＣデータ、及び音声認識プログラム１４ｄの実行によって認識された音声認識データのいずれにも含まれていないと判別された場合（ステップＳ９；Ｙｅｓ）、ステップＳ１１へ進む。
【００４９】
次いで、ステップＳ１１において、ＣＰＵ１２は、現在、受信を行っている番組の放送が終了したか否かをＥＰＧデータに基づき判断し、当該番組の放送が終了したと判断された場合（ステップＳ１１；Ｙｅｓ）、本処理を終了する。一方、ステップＳ１１において、ＣＰＵ１２が、ＥＰＧデータに基づき、現在、受信を行っている番組の放送が終了していないと判断した場合（ステップＳ１１；Ｎｏ）、ステップＳ８へ戻り、当該番組の放送が終了するまで、ステップＳ８以降の動作を繰り返す。
【００５０】
以上に説明した本発明に係るテレビジョン受像機１００によれば、対象言語データテーブル１４ａによって、視聴制限の対象となる対象言語データを、制限の対象となるユーザ毎に記憶することができ、操作部１０によって、制限の対象となるユーザを設定することができ、バッファ６によって、受信したテレビジョン信号に基づく映像音声データを一時的に保持することができ、ＣＰＵ１２が、遅延プログラム１４ｂを実行することにより、バッファ６に保持された映像音声データを、所定期間経過後に出力することにより、当該映像音声データの放送タイミングを遅延させることができ、抽出プログラム１４ｃを実行することにより、受信したテレビジョン信号からＣＣデータを抽出することができ、音声認識プログラム１４ｄを実行することにより、受信したテレビジョン信号に基づく映像音声データのうち音声データの音声認識を行うことができ、判別プログラム１４ｅを実行することにより、操作部１０により設定された対象ユーザに対応付けられて対象言語データテーブル１４ａに記憶された対象言語データが、抽出プログラム１４ｃの実行によって抽出されたＣＣデータ、及び／又は音声認識プログラム１４ｄの実行によって認識された音声認識データに含まれているか否かを判別することができ、判別プログラム１４ｅの実行によって、操作部１０により設定された対象ユーザに対応付けられて対象言語データテーブル１４ａに記憶されている対象言語データが、抽出プログラム１４ｃの実行によって抽出されたＣＣデータ、及び／又は音声認識プログラム１４ｄの実行によって認識された音声認識データに含まれていると判別された場合、ＣＰＵ１２が、視聴制限プログラム１４ｆを実行することにより当該対象言語データに対応するＣＣデータ、及び／又は音声データをカットすることができる。
従って、視聴制限レベルの情報が付加されていないテレビジョン信号に基づく番組でも、当該番組のＣＣデータを解析することによって、好適に視聴制限を行うことができる。
また、対象言語データテーブルは、視聴制限の対象となる対象言語データを、制限の対象となるユーザ毎に記憶することができ、対象となるユーザに応じて、受信中の番組を制限するか否かを判別することができることとなり、より好適に視聴制限を行うことができる。
また、ＣＣデータが付加されていないテレビジョン信号に基づく番組でも、当該番組の音声データを解析することによって、好適に視聴制限を行うことができる。
また、映像音声データを一時的に保持し、当該映像音声データを遅延させて出力することにより、受信した番組自体の視聴を制限することなく、当該番組のうち制限したい箇所におけるＣＣデータ、音声データのみをカットすることができることとなり、さらに好適な視聴制限を行うことができる。
【００５１】
なお、本発明は、上記実施の形態に限定されることなく、本発明の趣旨を逸脱しない範囲において、種々の改良並びに設計の変更を行っても良い。
例えば、対象言語データテーブル１４ａには、各対象言語データに代替言語データを対応付けて記憶するようにさせておき、ＣＰＵ１２が、判別プログラム１４ｅを実行することによって、抽出プログラム１４ｃの実行により抽出されたＣＣデータに、対象言語データが含まれていると判別された場合、当該対象言語データに対応付けて記憶されている代替言語データに置き換えて、ＣＣデータを出力する設計であっても良い。
【図面の簡単な説明】
【００５２】
【図１】本発明に係るテレビジョン受像機の要部構成を示すブロック図である。
【図２】本発明に係るテレビジョン受像機の視聴制限動作処理を示すフローチャートである。
【符号の説明】
【００５３】
１００    テレビジョン受像機
６        バッファ（保持手段）
７        ＯＳＤ処理部（視聴制限手段）
１０      操作部（対象ユーザ設定手段）
１２      ＣＰＵ（遅延手段、抽出手段、音声認識手段、判別手段、視聴制限手段）
１４      記憶部
１４ａ    対象言語データテーブル（対象言語記憶手段）
１４ｂ    遅延プログラム（遅延手段）
１４ｃ    抽出プログラム（抽出手段）
１４ｄ    音声認識プログラム（音声認識手段）
１４ｅ    判別プログラム（判別手段）
１４ｆ    視聴制限プログラム（視聴制限手段）
【図１】
2008103938.tif 000003
【図２】
2008103938.tif 000004